(57)【要約】      （修正有）【課題】人体の頚部の太さに適応できる首掛け型頚部マッサージ器を提供する。【解決手段】首掛け型頚部マッサージ器１０であって、弾性アーム１１と、第１のハンドル１２と、第２のハンドル１３と、電極アセンブリ１４と、電気パルス発生装置と、を含み、第１のハンドルと第２のハンドルが弾性アームの両側に固定して接続されており、電極アセンブリが弾性アームに設けられており、電気パルス発生装置が電極アセンブリに電気的に接続されており、電気パルス発生装置が第１のハンドル内に設けられている。【選択図】図１
0003231325.tif 000002
【実用新案登録請求の範囲】
【請求項１】
弾性アームと、
第１のハンドルと、
当該弾性アームの両側に当該第１のハンドルとともに、固定して接続されている第２のハンドルと、
当該弾性アームに設けられた電極アセンブリと、
当該第１のハンドル内に設けられ、当該電極アセンブリに電気的に接続されている電気パルス発生装置と、を備えた首掛け型頚部マッサージ器。
【請求項２】
前記弾性アームは、第１の外部ハウジングと、当該第１の外部ハウジングに係合された第１の内部ハウジングとを含み、
当該第１のハンドルは、第２の外部ハウジングと、当該第２の外部ハウジングに係合された第２の内部ハウジングとを含み、
当該第２のハンドルは、第３の外部ハウジングと、当該第３の外部ハウジングに係合された第３の内部ハウジングとを含み、
当該第１の外部ハウジング、当該第２の外部ハウジング、および、当該第３の外部ハウジングは一体成形されている、請求項１に記載の首掛け型頚部マッサージ器。
【請求項３】
前記第１の外部ハウジング、前記第２の外部ハウジング、および、前記第３の外部ハウジングは、材質がプラスチックである、請求項２に記載の首掛け型頚部マッサージ器。
【請求項４】
前記第１の外部ハウジング、前記第２の外部ハウジング、および、前記第３の外部ハウジングは、ステンレス鋼片である、請求項２に記載の首掛け型頚部マッサージ器。
【請求項５】
前記第１のハンドルと前記第２のハンドルは、ランタンリングによって弾性アームに接続されている、請求項１に記載の首掛け型頚部マッサージ器。
【請求項６】
第２のハンドル内に設けられ、当該電気パルス発生装置に電気的に接続されているバッテリをさらに備えた、請求項１に記載の首掛け型頚部マッサージ器。
【請求項７】
第１のハンドル内に設けられ、当該電気パルス発生装置に電気的に接続されているバッテリをさらに備え、当該第２のハンドル内には釣り合い重り塊が設けられた、請求項１に記載の首掛け型頚部マッサージ器。
【請求項８】
前記第１のハンドルは、第２の外部ハウジングと、当該第２の外部ハウジングに係合された第２の内部ハウジングと、を含み、
当該第２のハンドルは、第３の外部ハウジングと、当該第３の外部ハウジングに係合された第３の内部ハウジングとを含み、
当該第２の内部ハウジングと当該第３の内部ハウジングは材質がプラスチックである、請求項１に記載の首掛け型頚部マッサージ器。
【請求項９】
前記第１のハンドルは、当該第２の内部ハウジングの外面に貼り付けられた第１のシリカゲルスリーブをさらに含み、
第２のハンドルは、第３の内部ハウジングの外面に貼り付けられた第２のシリカゲルスリーブをさらに含む、請求項８に記載の首掛け型頚部マッサージ器。
【請求項１０】
前記第２の内部ハウジングの内面には、第１のスポンジが貼り付けられており、当該第３の内部ハウジングの内面には、第２のスポンジが貼り付けられている、請求項９に記載の首掛け型頚部マッサージ器。
【請求項１１】
前記第２の内部ハウジングの中央部分が内へ凹んで第１の凹部を形成し、当該第１の凹部の両端には、第１の突起部が設けられており、第３の内部ハウジングの中央部分が内へ凹んで第２の凹部を形成し、当該第２の凹部の両端には、第２の突起部が設けられている、請求項８に記載の首掛け型頚部マッサージ器。
【請求項１２】
前記弾性アームは、第１の外部ハウジングと、当該第１の外部ハウジングに係合された第１の内部ハウジングとを含み、当該第１の外部ハウジングと当該第１の内部ハウジングのうちの一方には凹溝が開設されており、当該第１の外部ハウジングと当該第１の内部ハウジングのうちの他方には突起が設けられており、当該突起が当該凹溝内に設けられている、請求項１に記載の首掛け型頚部マッサージ器。
【請求項１３】
前記第１の外部ハウジングと第１の内部ハウジングとの間は、さらに、接着剤によって接着されている、請求項１２に記載の首掛け型頚部マッサージ器。
【請求項１４】
前記弾性アームは、第１の外部ハウジングと、当該第１の外部ハウジングに係合された第１の内部ハウジングとを含み、当該第１の内部ハウジングの材質がシリカゲルである、請求項１に記載の首掛け型頚部マッサージ器。
【請求項１５】
前記弾性アームは、第１の外部ハウジングと、当該第１の外部ハウジングに係合された第１の内部ハウジングとを含み、当該第１の外部ハウジングと当該第１の内部ハウジングの間には第３のスポンジが充填されている、請求項１に記載の首掛け型頚部マッサージ器。
【考案の詳細な説明】
【技術分野】
【０００１】
本願は、頚部マッサージ器に関し、特に、首掛け型頚部マッサージ器に関する。
【背景技術】
【０００２】
近年、仕事や不良な生活習慣などの都合で、頚椎症の発症が若年化の傾向が進んでいる。従来の頚部マッサージ器は、首に着用されるものであり、当該頚部マッサージ器が、電気パルス発生装置と電極アセンブリとが設けられた本体と、左ハンドルと、右ハンドルと、を備え、左ハンドルと右ハンドルが本体の両側に可動的に接続されており、すなわち、左ハンドルと右ハンドルが接続箇所を支点として搖動することができる。また、左ハンドルおよび右ハンドルと本体との間にばねを設置することにより、クランプ力を与える。
上記頚部マッサージ器を実現して利用する際、考案者は、従来技術では以下のような問題点が存在することを発見した。即ち、電気パルス発生装置が損ねられないように、従来の頚部マッサージ器の本体が剛性変形防止構造とされたので、首の太さにうまく適応できず、電極アセンブリが皮膚にうまく貼り付けられることなく、針刺痛を引き起こすことがある。また、左ハンドルおよび右ハンドルと本体との接続箇所が皮膚や髪などをつまんでしまうことがあるので、使い勝手が悪い。さらに、ばねの弾性力が通常、大きく硬いので、消費者が長時間にわたって着用すると、特に、頚動脈で不快感を感じやすくなる。
【考案の概要】
【考案が解決しようとする課題】
【０００３】
本願は、人体の頚部の太さに適応できる首掛け型頸部マッサージ器を提供することを主な目的としている。
【課題を解決するための手段】
【０００４】
上記目的を実現するために、本願は、弾性アームと、第１のハンドルと、第２のハンドルと、電極アセンブリと、電極アセンブリに電気的に接続されている電気パルス発生装置と、を含み、当該第１のハンドルと第２のハンドルが当該弾性アームの両側に固定して接続されており、当該電極アセンブリが当該弾性アームに設けられており、当該電気パルス発生装置が当該第１のハンドル内に設けられている、首掛け型頚部マッサージ器を提供している。
【０００５】
選択的に、前記弾性アームは、第１の外部ハウジングと、第１の外部ハウジングに係合された第１の内部ハウジングとを含み、当該第１のハンドルは、第２の外部ハウジングと、第２の外部ハウジングに係合された第２の内部ハウジングとを含み、当該第２のハンドルは、第３の外部ハウジングと、第３の外部ハウジングに係合された第３の内部ハウジングとを含み、当該第１の外部ハウジング、第２の外部ハウジング、および、第３の外部ハウジングは一体成形されている。
【０００６】
選択的に、前記第１の外部ハウジング、第２の外部ハウジング、および、第３の外部ハウジングは、材質がプラスチックである。
【０００７】
選択的に、前記第１の外部ハウジング、第２の外部ハウジング、および、第３の外部ハウジングは、ステンレス鋼片である。
【０００８】
選択的に、前記第１のハンドルと第２のハンドルは、ランタンリングによって弾性アームに接続されている。
【０００９】
選択的に、前記首掛け型頚部マッサージ器は、第２のハンドル内に設けられ、電気パルス発生装置に電気的に接続されているバッテリをさらに備えた。
【００１０】
選択的に、前記首掛け型頚部マッサージ器は、第１のハンドル内に設けられ、電気パルス発生装置に電気的に接続されているバッテリをさらに備え、当該第２のハンドル内には釣り合い重り塊が設けられた。
【００１１】
選択的に、前記第１のハンドルは、第２の外部ハウジングと、第２の外部ハウジングに係合された第２の内部ハウジングと、を含み、当該第２のハンドルは、第３の外部ハウジングと、第３の外部ハウジングに係合された第３の内部ハウジングとを含み、当該第２の内部ハウジングと当該第３の内部ハウジングは材質がプラスチックである。
【００１２】
選択的に、前記第１のハンドルは、第２の内部ハウジングの外面に貼り付けられた第１のシリカゲルスリーブをさらに含み、第２のハンドルは、第３の内部ハウジングの外面に貼り付けられた別のシリカゲルスリーブをさらに含む。
【００１３】
選択的に、前記第２の内部ハウジングの内面には、スポンジが貼り付けられており、当該第３の内部ハウジングの内面には、スポンジが貼り付けられている。
【００１４】
選択的に、前記第２の内部ハウジングの中央部分が内へ凹んで第１の凹部を形成し、当該第１の凹部の両端には、第１の突起部が設けられており、第３の内部ハウジングの中央部分が内へ凹んで第２の凹部を形成し、当該第２の凹部の両端には、第２の突起部が設けられている。
【００１５】
選択的に、前記弾性アームは、第１の外部ハウジングと、第１の外部ハウジングに係合された第１の内部ハウジングとを含み、第１の外部ハウジングと第１の内部ハウジングのうちの一方には凹溝が開設されており、他方には突起が設けられており、突起が凹溝内に嵌設されている。
【００１６】
選択的に、前記第１の外部ハウジングと第１の内部ハウジングとの間は、さらに、接着剤によって接着されている。
【００１７】
選択的に、前記弾性アームは、第１の外部ハウジングと、第１の外部ハウジングに係合された第１の内部ハウジングとを含み、第１の内部ハウジングの材質がシリカゲルである。
【００１８】
選択的に、前記弾性アームは、第１の外部ハウジングと、第１の外部ハウジングに係合された第１の内部ハウジングとを含み、第１の外部ハウジングと第１の内部ハウジングの間にはスポンジが充填されている。
【００１９】
選択的に、前記電極アセンブリは、長尺形状を呈し、弾性アームの延在方向に沿って設けられている。
【００２０】
選択的に、前記首掛け型頚部マッサージ器は、第１のハンドルまたは第２のハンドルに磁気的に吸着されたコントローラをさらに含む。
【００２１】
本願が提案する技術案では、前記首掛け型頚部マッサージ器は、電気パルス発生装置とバッテリが第１のハンドルと第２のハンドルに設けられたことで、弾性アームで第１のハンドルと第２のハンドルを接続することができるとともに、弾性アームの変形により、首掛け型頚部マッサージ器の着用を実現させ、それにより、電気パルス発生装置が損ねられないように、首の太さに好適に適応できる。しかも、第１のハンドルと第２のハンドルおよび電気パルス発生装置とバッテリの重量による下向きの作用により、電極アセンブリが頚部に良好かつ快適に貼り付けられるようになり、針刺痛を引き起こすことがない。また、従来技術における左ハンドルおよび右ハンドルと本体との接続箇所が皮膚や髪などをよくつまんでしまう欠陥も回避した。なお、弾性アームの変形は、ばねによる大きくて硬い弾性力ではなく、その自体の形態変化に依存するので、第１のハンドルと第２のハンドルの全体が首に挟まれることによる弾性力がさらに柔らかく快適なものとなる。
【００２２】
本願の実施例または従来技術の技術案をより明確に説明するために、以下は、実施例または従来技術の記述に必要な添付図面を簡単に紹介するが、以下で記述している添付図面は本願における幾つかの実施例に過ぎず、当業者にとって、創造的な労力を払わずに、それらの添付図面に示す構造に基づいて他の添付図面をさらに取得できることは明らかである。
【図面の簡単な説明】
【００２３】
【図１】本願における首掛け型頚部マッサージ器の第１の好適な実施形態の斜面図である。
【図２】図１に示した首掛け型頚部マッサージ器の正面図である。
【図３】図１に示した弾性アームと電極アセンブリの分解図である。
【図４】図１に示した第１のハンドルの分解図である。
【図５】図１に示した第２のハンドルの分解図である。
【図６】本願における首掛け型頚部マッサージ器の第２の好適な実施形態の概略図である。
【図７】本願における首掛け型頚部マッサージ器の第３の好適な実施形態の部分分解図である。
【考案を実施するための形態】
【００２４】
以下は、本願における実施例の添付図面と合わせて、本願における実施例の技術案を明確かつ完全に説明するが、説明している実施例は本願における一部の実施例に過ぎず、全ての実施例ではないことは明らかである。本願における実施例を基にして、当業者によって創造的な労力を払わずに取得した他のすべての実施例は本願における保護範囲に入っている。
【００２５】
なお、本願における実施例に記載のすべての方向的指示（例えば、上、下、左、右、前、後、……）は、（添付図面に示すように）ある特定の姿勢での各部材間の相対的な位置関係、動き状況などを解釈するためのものに過ぎず、当該特定の姿勢が変化すると、当該方向的指示もそれに伴って相応に変化している。
【００２６】
また、本願では、「第１の」、「第２の」などの記載は、目的を説明するために用いられるだけで、その相対的重要性を示すまたは示唆するためのもの、或いは、その指示対象となる技術的特徴の数を暗示的に記述するものとして理解されてはならない。それにより、「第１の」、「第２の」が限定された特徴は、少なくとも１つの当該特徴を明示的または暗示的に含むことができる。本願の説明では、特に具体的かつ明確的に限定された場合を除き、「複数」とは、少なくとも２つあることを意味し、例えば、２つ、３つなどあってもよい。
【００２７】
本願では、特に明確な規定や限定がある場合を除き、「接続」、「固定」などの用語は、広義で理解されるべきである。例えば、「固定」とは、特に明確な限定がある場合を除き、固定して接続されてもよいし、取り外し可能に接続されてもよいし、一体化されてもよい。また、機械的に接続されてもよいし、電気的に接続されてもよい。そして、直接に接続されてもよいし、中間媒体を介して間接に接続されてもよい。さらに、２つの素子の内部での連通関係または２つの素子の相互作用の関係でもよい。当業者にとって、本願における上記用語の具体的な意味は、具体的な状況に応じて理解されてもよい。
【００２８】
また、本願における各実施例間の技術案は互いに組み合わせてもよいが、当業者が実現できることを基礎としなければならない。技術案の組み合わせが互いに矛盾するまたは実現できない場合に、そのような技術案の組み合わせが存在しなく、本願が保護を求める範囲内にも存在しないと認定されるべきである。
【００２９】
本願は、首掛け型頚部マッサージ器を提案している。
図１と図２に示す本願における首掛け型頚部マッサージ器の第１の好適な実施の形態を参照して、前記首掛け型頚部マッサージ器１０は、弾性アーム１１と、第１のハンドル１２と、第２のハンドル１３と、電極アセンブリ１４と、電極アセンブリ１４に電気的に接続されている電気パルス発生装置１５と、を含む。当該第１のハンドル１２と第２のハンドル１３は、当該弾性アーム１１の両側に固定して接続されている。当該電極アセンブリ１４は、当該弾性アーム１１に設けられている。当該電気パルス発生装置１５は、当該第１のハンドル１２内に設けられている。操作を容易にするために、本実施の形態では、１つの遠隔制御装置１６がさらに含まれる。当該遠隔制御装置１６は、第１のハンドルまたは第２のハンドルに磁気的に吸着されている。それにより、遠隔制御装置１６の紛失を防止することができる。
【００３０】
図３を合わせて参照すると、前記弾性アーム１１は、第１の外部ハウジング１１１と、第１の外部ハウジング１１１に係合された第１の内部ハウジング１１２とを含む。当該第１の外部ハウジング１１１と第１の内部ハウジング１１２のうちの一方には凹溝１１３が開設されており、他方には突起１１４が設けられており、突起１１４が凹溝１１３内に嵌設されている。それにより、第１の外部ハウジング１１１と第１の内部ハウジング１１２との組立を容易にすることができる。第１の外部ハウジング１１１と第１の内部ハウジング１１２との組立をより強固にさせるために、第１の外部ハウジング１１１と第１の内部ハウジング１１２の間を接着剤によってさらに接着させることができる。本実施の形態では、当該第１の内部ハウジング１１２は、材質がシリカゲルであり、シリカゲルで製造されたことで、さらに肌にやさしく快適感を与えることができる。しかも、従来のプラスチックの材質と比べて、シリカゲルの材質で皮膚に接触すると、弾性アーム１１と人体の頚部の皮膚との摩擦力が増大することが可能となり、首掛け型頚部マッサージ器１０が人体の頚部の回りに伴って回ることにも有利である。即ち、首掛け型頚部マッサージ器１０は人体の頚部により快適で確実に貼り付けられたことで、電極アセンブリ１４が時々皮膚から脱離することによる「針刺痛」という業界の難題を効果的に解決した。また、当該第１の外部ハウジング１１１と第１の内部ハウジング１１２の間にはスポンジ１１５がさらに充填されてもよい。そうすると、弾性アーム１１がより飽満的に見えるようになり、皮膚に密着したことによる快適さをより一層増加させる。
【００３１】
図４と図５を合わせて参照すると、前記第１のハンドル１２は、第２の外部ハウジング１２１と、第２の外部ハウジング１２１に係合された第２の内部ハウジング１２２とを含む。本実施の形態では、当該第２の外部ハウジング１２１と第２の内部ハウジング１２２は材質がともに、プラスチックである。プラスチック製のハウジングが用いられたことで、第１のハンドル１２内の電気パルス発生装置１５をよりよく保護することができ、当該首掛け型頚部マッサージ器１０の利用時、第１のハンドル１２の変形によるその内部の電気パルス発生装置１５への損害を回避することができる。
【００３２】
前記第２のハンドル１３は、第３の外部ハウジング１３１と、第３の外部ハウジング１３１に係合された第３の内部ハウジング１３２とを含み、その内部にはバッテリ１７が取り付けられている。本実施の形態では、当該第３の外部ハウジング１３１と第３の内部ハウジング１３２は材質がともに、プラスチックである。プラスチック製ハウジングが用いられたことで、第２のハンドル１３内のバッテリ１７をよりよく保護することができ、当該首掛け型頚部マッサージ器１０の利用時、第２のハンドル１３の変形によるその内部のバッテリ１７への損害を回避することができる。当該電気パルス発生装置１５とバッテリ１７は、それぞれ、第１のハンドル１２と第２のハンドル１３の内部に取り付けられている。それにより、首掛け型頚部マッサージ器１０は、重みが釣り合って、確実に着用されることに有利である。
【００３３】
頚部に貼り付けたときの快適さを向上させるために、前記第１のハンドル１２は、第２の内部ハウジング１２２の外面に貼り付けられるとともに、形状が第２の内部ハウジング１２２の形状とほぼ同じであるシリカゲルスリーブ１２３をさらに含む。同じ理由により、当該第２のハンドル１３は、第３の内部ハウジング１３３の外面に貼り付けられた別のシリカゲルスリーブ１３３をさらに含む。さらに、前記第２の内部ハウジング１２２の内面には、スポンジ１２４が貼り付けられてもよい。即ち、スポンジ１２４は、第２の内部ハウジング１２２と電気パルス発生装置１５の間に位置する。そうすると、電気パルス発生装置１５を緩衝して保護するだけではなく、貼付感をさらに向上させることもできる。同じ理由により、当該第３の内部ハウジング１３３の内面には同様に、スポンジ１３４が貼り付けられてもよい。
【００３４】
当該首掛け型頚部マッサージ器１０の実際な利用時、前記第２のハンドル１３と第３のハンドル１４が協働して人体の頚部を挟む。第２のハンドル１３と第３のハンドル１４による頚部の頚動脈への押圧を回避するために、考案者は、第２の内部ハウジング１２２の中央部分が内へ凹んで第１の凹部１２２１を形成し、当該第１の凹部１２２１の両端には、第１の突起部１２２２が設けられているように意図的に設計した。当該第１の凹部１２２１は丁度、頚動脈を回避するために用いられる。同じ理由により、当該第３の内部ハウジング１３２の中央部分が内へ凹んで第２の凹部１３２１を形成し、当該第２の凹部１３２１の両端には、第２の突起部１３２２が設けられている。
【００３５】
本実施の形態では、前記第１のハンドル１２と第２のハンドル１３は、弾性アーム１１と別体で設計されている。即ち、第１のハンドル１２と第２のハンドル１３は、ランタンリング１８によって弾性アーム１１に接続されている。ランタンリング１８による制限作用では、当該首掛け型頚部マッサージ器１０の実際な利用時、ランタンリング１８は、弾性アーム１１に伴う第１のハンドル１２と第２のハンドル１３の変形を防止することができる。そうすると、第１のハンドル１２と第２のハンドル１３の電気素子が損ねられないように保護することができる。第１のハンドル１２と第２のハンドル１３の剛性さらに向上させるために、電気素子、例えば、電気パルス発生装置１５またはバッテリ１７は、剛性ブラケット１２５、１３５によって取り付けられてもよい。
【００３６】
前記電極アセンブリ１４は、長尺形状を呈し、弾性アーム１１の延在方向に沿って設けられている。そうすると、電極アセンブリ１４は人体の頚部によりよく貼り付けられるようになり、電極アセンブリが時々皮膚から脱離することによる「針刺痛」という業界の難題を回避した。
【００３７】
当該首掛け型頚部マッサージ器１０の組立時、まず、電気パルス発生装置１５を第１のハンドル１２内に取り付け、バッテリ１７を第２のハンドル１３内に取り付ける。そして、第２の外部ハウジング１２１と第２の内部ハウジング１２２を係合し、第３の外部ハウジング１３１と第３の内部ハウジング１３２を係合する。その後、第１の外部ハウジング１１１と第１の内部ハウジング１１２を係合する。最後には、第１のハンドル１２と第２のハンドル１３をランタンリング１８を介して弾性アーム１１に接続される。
【００３８】
当該首掛け型頚部マッサージ器１０の利用時、第１のハンドル１２と第２のハンドル１３を手で持ち、それらを一定の角度まで開くと、弾性アーム１１が弾性変形する。そして、第１のハンドル１２と第２のハンドル１３を首に掛けて、弾性アーム１１における電極アセンブリを首に密着させる。最後には、第１のハンドル１２と第２のハンドル１３をゆっくりと解放し、弾性アーム１１による回復力で、第１のハンドル１２と第２のハンドル１３が全体で首に挟まれるようになり、その場合、弾性アーム１１の具体的な回復形状は異なる人の首の太さに適応できる。そうすると、電極アセンブリ１４は常に皮膚によく貼り付けられて、針刺痛を引き起こすことがない。なお、サイズが適切なものであれば、当該弾性アーム１１は、完全に元の形状に戻ることができる。即ち、最終的に、弾性力が発生することがない。その場合、第１のハンドル１２と第２のハンドル１３が首に挟まれることがなく、首掛け型頚部マッサージ器１０全体では、電気パルス発生装置１５とバッテリ１７がそれぞれ、第１のハンドル１２と第２のハンドル１３に設けられたので、弾性アーム１１の体積が大きすぎるようになることを回避しただけではなく、首掛け型頚部マッサージ器１０全体における素子分配の合理化により、重みが釣り合っていることにも寄与できる。そうすると、首掛け型頚部マッサージ器１０は、第１のハンドル１２と第２のハンドル１３および電気パルス発生装置１５とバッテリ１７の重量による下向きの作用に完全に依存して、電極アセンブリ１４を頚部に良好かつ快適に貼り付けさせることができる。
【００３９】
前記首掛け型頚部マッサージ器１０は、電気パルス発生装置１５とバッテリ１７が第１のハンドル１２と第２のハンドル１３に設けられたことで、弾性アーム１１で第１のハンドル１２と第２のハンドル１３を接続することができるとともに、弾性アーム１１の変形により、首掛け型頚部マッサージ器１０の着用を実現させ、それにより、電気パルス発生装置１５が損ねられないように、首の太さに好適に適応できる。しかも、第１のハンドル１２と第２のハンドル１３および電気パルス発生装置１５とバッテリ１７の重量による下向きの作用により、電極アセンブリ１４が頚部に良好かつ快適に貼り付けられるようになり、実際の使用で針刺痛を引き起こすことがない。また、従来技術における左ハンドルおよび右ハンドルと本体との接続箇所が皮膚や髪などをよくつまんでしまう欠陥も回避した。なお、当該弾性アーム１１の変形は、ばねによる大きくて硬い弾性力ではなく、その自体の形態変化に依存するので、第１のハンドル１２と第２のハンドル１３の全体が首に挟まれることによる弾性力がさらに柔らかく快適なものとなる。
【００４０】
第２の実施の形態
図６に示す本願における首掛け型頚部マッサージ器の第２の好適な実施の形態を参照すると、第１の好適な実施の形態との相違点が、当該弾性アーム２１は、第１の外部ハウジング２１１と、第１の外部ハウジング２１１に係合された第１の内部ハウジング２１２とを含み、当該第１のハンドル２２は、第２の外部ハウジング２２１と、第２の外部ハウジング２２１に係合された第２の内部ハウジング２２２とを含み、当該第２のハンドル２３は、第３の外部ハウジング２３１と、第３の外部ハウジング２３１に係合された第３の内部ハウジング２３２とを含み、当該第１の外部ハウジング２１１、第２の外部ハウジング２２１、および、第３の外部ハウジング２３１は一体成形されている点にある。当該第１の外部ハウジング２１１、第２の外部ハウジング２２１、および、第３の外部ハウジング２３１は、材質がプラスチックである。第１の外部ハウジング２１１、第２の外部ハウジング２２１、および、第３の外部ハウジング２３１の材質は通常の弾性変形材料ではないが、しかし、第１の外部ハウジング２１１、第２の外部ハウジング２２１、および、第３の外部ハウジング２３１が接続されて略Ｃ字状を呈しているので、当該第１の外部ハウジング２１１、第２の外部ハウジング２２１、および、第３の外部ハウジング２３１、特に、弾性アーム２１の第１の外部ハウジング２１１は、依然としてある程度の弾性変形を達成することができる。
【００４１】
勿論、当該第１の外部ハウジング２１１、第２の外部ハウジング２２１、および、第３の外部ハウジング２３１は一体成形されているが、作用が第１の実施の形態におけるランタンリング１８と類似するランタンリング２８は追加されてもよい。
【００４２】
また、第１の外部ハウジング２１１、第２の外部ハウジング２２１、および、第３の外部ハウジング２３１は、材質がステンレス鋼片であってもよいことも理解できるだろう。
【００４３】
第３の実施の形態
図７に示す本願における首掛け型頚部マッサージ器１０の第３の好適な実施の形態を参照すると、第１の好適な実施の形態との相違点が、当該電気パルス発生装置１５がバッテリ１７とともに当該第１のハンドル１２内に設けられ、当該第２のハンドル１３内には釣り合い重り塊１９が設けられ、釣り合い重り塊１９の質量が電気パルス発生装置１５とバッテリ１７の質量の和にほぼ等しい点にある。その場合でも、首掛け型頚部マッサージ器１０全体の重みは依然として釣り合っていることができる。
【００４４】
以上に記述されているのは、本願における好適な実施例に過ぎず、本願が請求する範囲を制限するものではない。本願の技術的構想を基して、本願の明細書及び添付図面の記載を用いた等価の構造変換、または、他の関連した技術分野への直接／間接な応用はいずれも、本願が請求する範囲内に入っている。
【図１】
0003231325.tif 000003
【図２】
0003231325.tif 000004
【図３】
0003231325.tif 000005
【図４】
0003231325.tif 000006
【図５】
0003231325.tif 000007
【図６】
0003231325.tif 000008
【図７】
0003231325.tif 000009